(57)【要約】【課題】  送信側の通信端末において、宛先人に対応した画像を自動で付加したメール内容とすることにより、宛先人がより興味を持つメールを簡単に作成して送信する通信端末および当該メールを受信する通信端末を提供する。【解決手段】  送信側のユーザは、宛先入力欄３０１、タイトル入力欄３０２、本文入力欄３０３に、それぞれ「東芝太郎」、「明日の予定」、「明日の天気が晴れだったらいいね。」をキー入力し、最適化３０６を選択する。あとは自動処理により、アドレス帳を参照して「東芝太郎」の個人情報である「子供（男）」に対応する付加情報画像３１０を得る。また、辞書記憶部を参照して、「明日の天気が晴れだったらいいね。」の文字列「晴れ」の絵文字３０９を得る。そして、「明日の天気が晴れだったらいいね。」３０８と、付加情報画像３１０と、「絵文字３０９とを合成した送信画面が自動で得られ、それを自動レイアウト表記して送信する。【選択図】  図８
2006252446.tif 000002
【特許請求の範囲】
【請求項１】
メールの宛先毎の個人情報が記憶されたアドレス帳記憶手段と、
画像等の付加情報が記憶された付加情報記憶手段と、
メールの宛先と本文を入力するメール入力手段と、
入力されたメール宛先に該当する前記個人情報を解析して当該宛先に対応した前記付加情報を抽出する宛先情報解析手段と、
前記抽出した付加情報の画面上の配置を表すレイアウト情報を設定して、当該レイアウト情報と前記入力されたメール本文と前記付加情報をメール宛先に送信するメール制御手段とを
具備することを特徴とする通信端末。
【請求項２】
前記個人情報は、宛先人の年齢、性別、住所、電話番号、趣味等の１つまたは複数であり、前記付加情報は、年齢に対応した画像、性別に対応した画像、住所や電話番号の地域に対応した画像、趣味に対応した画像等の１つまたは複数であることを特徴とする請求項１に記載の通信端末。
【請求項３】
添付ファイルとメール本文を含むメールを受信するメール受信手段と、
前記受信したメールに含まれるレイアウト情報を抽出して解析するレイアウト情報解析手段と、
前記レイアウト情報に基づいてメール本文と添付ファイル情報との合成を行い、合成した後の画面を表示するメール制御手段とを
具備することを特徴とする通信端末。
【請求項４】
前記レイアウト情報は、メール本文に続いてテキスト形式で記述した特殊コードであることを特徴とする請求項１に記載の通信端末。
【請求項５】
前記レイアウト情報は、添付ファイル中に記載されていることを特徴とする請求項１に記載の通信端末。
【請求項６】
前記レイアウト情報は、前記最適付加情報ファイルのファイル名中に記載されていることを特徴とする請求項１に記載の通信端末。
【発明の詳細な説明】
【技術分野】
【０００１】
本発明は、メール機能を有する通信端末において、送信先である宛先の個人情報に基づいてメール内容を最適化して当該宛先へメール送信する通信端末および当該メールを受信する通信端末に関する。
【背景技術】
【０００２】
（背景技術１）
電子メールの受信を行う電子メール通信装置において、受取人に合わせ見やすくして正確に情報を伝達できる電子メール通信装置がある（例えば、特許文献１参照。）。この特許文献１では、電子メール通信装置は、受信した電子メールから差出人、受取人情報を参照し、受取人に合わせて読みやすいように、字体、文字の大きさ、平仮名への変換や色使い等を考慮してテキストを編集して、表示および印刷している。
【０００３】
（背景技術２）
送信者が画像を選択または作成しなくとも、簡単に画像を電子メールに添付することのできる電子メール配信システム及び電子メール配信方法がある（例えば、特許文献２参照。）。
【０００４】
この特許文献２では、メールサーバは、送信元携帯端末から受信した電子メールの本文を解析して文字列を抽出し、この文字列に対応したキャラクター画像を割り当てて、メール本文とキャラクター画像を併せたコミックメールを作成及び保存する。そして、メールサーバは、メール本文とキャラクター画像を併せたコミックメールを送信元携帯端末へ返信すると共に、受信先携帯端末に送信している。
【特許文献１】特開２００４−１３９４０４号公報（第３頁、図３、図４）
【特許文献２】特開２００２−５５９３３号公報（第４〜５頁、図４、図５）
【発明の開示】
【発明が解決しようとする課題】
【０００５】
従来の背景技術１の電子メール通信装置では、受取人に合わせて読みやすいように文字を変換しているが、画像についての記載はない。そのため、受取人に対して文字以外の情報で興味を引かせることができないという問題があった。  
従来の背景技術２の電子メール配信システムでは、電子メールの本文に対応したキャラクター画像を割り当てて、メール本文とキャラクター画像を併せたコミックメールを作成しているが、受信先携帯端末のユーザに対応した画像ではない。また、メール本文とキャラクター画像のレイアウト情報をどのように作成して、受信先携帯端末に送信しているかの記載がない。
【０００６】
本発明は、上記の問題点を解決するためになされたもので、送信側の通信端末において、宛先人の個人情報に対応した画像を自動で付加したメール内容とすることにより、宛先人がより興味を持つメールを簡単に作成して当該宛先人へメール送信する通信端末および当該メールを受信する通信端末を提供することを目的とする。
【課題を解決するための手段】
【０００７】
上記目的を達成するために、本発明の通信端末は、メールの宛先毎の個人情報が記憶されたアドレス帳記憶手段と、画像等の付加情報が記憶された付加情報記憶手段と、メールの宛先と本文を入力するメール入力手段と、入力されたメール宛先に該当する前記個人情報を解析して当該宛先に対応した前記付加情報を抽出する宛先情報解析手段と、前記抽出した付加情報の画面上の配置を表すレイアウト情報を設定して、当該レイアウト情報と前記入力されたメール本文と前記付加情報をメール宛先に送信するメール制御手段とを具備することを特徴とする。
【発明の効果】
【０００８】
本発明によれば、送信側の通信端末は、宛先人の個人情報に対応した画像を自動で付加することにより、宛先人がより興味を持つメール内容を簡単に作成して送信することが可能となる。受信側の通信端末は、受信したメール内容を基にしてメール本文と画像とが自動で合成された受信画面表示を行うことが可能となる。
【発明を実施するための最良の形態】
【０００９】
以下、本発明の実施例を、図面を参照して説明する。  
【実施例】
【００１０】
図１は、本発明の実施例に係る通信端末の構成図である。通信端末は、通信部１、制御部２、キー３、ＬＣＤ４、入出力制御部５、メール制御部６、アドレス帳制御部７、アドレス帳記憶部８、エディタ制御部９、辞書記憶部１０、付加情報記憶部１１、宛先情報解析部１２、などによって構成される。  
通信部１は、図示しないアンテナ、変調復調部、通信制御部などを有し、通信システムの基地局（図示せず）との間で無線通信を行う。制御部２は、通信端末の各種アプリケーションの制御を行う。キー３、ＬＣＤ４は、マンマシンインターフェースであり、入出力制御部５はその制御を行う。メール制御部６は、通信端末の各種アプリケーションの１つであるメールに関して、メールの作成、メール作成画面の表示、付加情報をメール画面にどのように配置するかのレイアウト情報の作成などを行い、通信部１を介して他の通信端末との間でメールの送信受信を行う。
【００１１】
アドレス帳制御部７は、アドレス帳記憶部８の管理を行う。アドレス帳記憶部８は、メールの宛先人ごとの個人情報である電話番号、メールアドレス、住所、生年月日、年齢、性別、趣味などを予め記憶する。エディタ制御部９は、辞書記憶部１０を利用して、文字列の入力制御や入力文字の予測変換制御を行う。辞書記憶部１０は、辞書データを記憶しており、絵文字も文字の種類として含まれる。付加情報記憶部１１は、メールに付加する画像データなどを記憶する。宛先情報解析部１２は、入力された送信メールの宛先人に対応する個人情報をアドレス帳記憶部８から読み出して解析し、当該宛先人に最適な画像データを付加情報記憶部７から選択抽出する。
【００１２】
図２は、本発明の実施例に係る通信端末のアドレス帳記憶部８の説明図であり、ある１つの宛先について説明している。名前８１欄には、１つの宛先人である「東芝太郎」が登録されている。そして、宛先人の個人情報の属性として、電話番号欄８２、メールアドレス欄８３、住所欄８４、生年月日欄８５、年齢欄８６、性別欄８７、趣味欄８８などにそれぞれ登録されている。また、年齢欄７６には、予め「子供」として登録してあるが、生年月日から計算により年齢を算出して、「子供」、「青年」、「壮年」、「高齢者」などを自動登録してもよい。
【００１３】
図３は、本発明の実施例に係る通信端末の付加情報記憶部１１の説明図であり、図３（ａ）は個人情報の属性と付加情報ファイル名との最適化テーブル１１ａ、図３（ｂ）は付加情報ファイル１１ｂの１つの表示画像である。  
図３（ａ）の個人情報の属性の欄には、アドレス帳記憶部の個人情報の各属性である年齢、性別に対応させて「子供（男）」、「子供（女）」、「青年（男）」等、また、住所である「大阪」、「東京」等、また、趣味である「釣り」、「サッカー」等の種別が登録してある。そして、付加情報欄には、個人情報の属性の欄のそれぞれに適した付加情報ファイル名が登録してある。例えば、１１１欄は、個人情報グループが「子供（男）」であり、それに適した付加情報ファイル名１１１が登録してある。
【００１４】
図３（ｂ）は、この付加情報ファイル名１１１の画像ファイルの表示画像を示し、「子供（男）」に適した男の子の画像である。他の付加情報ファイル名についても付加情報記憶部１１に画像ファイルが記憶されており、例えば、「大阪」等の住所に関しては大阪城の画像ファイル、「サッカー」等に関してはサッカーの画像ファイルが記憶されている。  図４は、本発明の実施例に係る通信端末の特殊コードによるレイアウト情報表記の説明図である。送信内容２００は、ユーザが入力したメール本文２０１、例えば「明日の天気が晴れだったらいいね。」と、自動で付加されるレイアウト情報である特殊コード２０２、例えば「＜＜背景有＞＞」と、自動で添付される添付ファイル２０３とから構成される。この送信内容は、「明日の天気が晴れだったらいいね。」の文章表示と共に、添付ファイル２０３の画像を背景画として表示することを意味する。この表記方法を、予め送信側通信端末と受信側通信端末で定義しておくことにより、文字や画像の混在した画面レイアウト情報を通信することができる。特殊コード２０２「＜＜背景有＞＞」は、メール送信文の一部として送信される。受信側通信端末は、この特殊コード２０２「＜＜背景有＞＞」を自動で削除して「明日の天気が晴れだったらいいね。」を表示し、特殊コード２０２を解析して、添付ファイル２０３を「明日の天気が晴れだったらいいね。」の背景画として自動でレイアウトし同一画面に表示する。
【００１５】
特殊コードは色々と定義することができ、その種類と定義の例を特殊コードの定義２０４に示す。２０５欄の特殊コード「＜＜背景有＞＞」の定義は、上述したとおりである。２０６欄の特殊コード「＜＜付加有＞＞」の定義は、送信時に添付してある添付ファイル画像をメール本文と重ならないように表示することである。２０７欄の特殊コード「＜＜文字大＞＞」の定義は、メール本文を大きく表示することである。２０８欄の特殊コード「＜＜絵文字大＞＞」の定義は、メール本文中にテキスト表記の絵文字があれば、それを大きく表示することである。これらの特殊コードは送信文の中に複数表記してもよい。また、「＜＜＞＞」もこれに限らず、他の記号でもよい。
【００１６】
図５は、本発明の他の実施例に係る通信端末の特殊コードによるレイアウト情報表記の説明図である。送信内容２１０は、ユーザが入力したメール本文２１１、例えば「明日の天気が晴れだったらいいね。」と、自動で付加されるレイアウト情報である特殊コード２１２と、自動で添付される添付ファイル２１６とから構成される。特殊コード２１２は、記号２１３「＝＝＝＝＜」と、文字２１４「Ｍ．ＩＮＦＯ：ＢＧ／Ｂｏｙ．ｊｐｇ」と、文字２１５「ＦＳ／Ｂｉｇ」などから構成される。記号２１３「＝＝＝＝＜」と文字２１４中の「Ｍ．ＩＮＦＯ」は、レイアウト指示用の編集情報であることを意味し、文字２１４中の「ＢＧ／Ｂｏｙ．ｊｐｇ」は、メール本文２１１「明日の天気が晴れだったらいいね。」の文章表示と共に、添付ファイル２１６「Ｂｏｙ．ｊｐｇ」の画像を「ＢＧ」（バックグラウンド、背景）として表示することを意味する。また、文字２１５「ＦＳ／Ｂｉｇ」は、メール本文２１１「明日の天気が晴れだったらいいね。」に関して、Ｆｏｎｔ−Ｓｉｚｅを大きく表示することを意味する。
【００１７】
この表記方法を予め、送信側通信端末と受信側通信端末で定義しておくことにより、文字や画像の混在した画面レイアウト情報を通信することができる。特殊コード２１２は、メール送信文の一部として送信され、受信側通信端末は、この特殊コード２１２を解析すると共に、特殊コード２１２の部分を自動で削除し、「明日の天気が晴れだったらいいね。」を大きく表示し、添付ファイル２１３を背景画として自動でレイアウトし表示する。  
この定義がなされていない受信側通信端末で受信した場合、「明日の天気が晴れだったらいいね。」と「＝＝＝＝＜」と「Ｍ．ＩＮＦＯ：ＢＧ／Ｂｏｙ．ｊｐｇ」と「ＦＳ／Ｂｉｇ」が表示される。添付ファイル２１６を開くかどうかは、受信側のユーザに任せられる。  
特殊コードは色々と定義することができ、上記以外の文字で定義したり、他の意味を追加してもよい。
【００１８】
図６は、本発明の更に別の実施例に係る通信端末の添付ファイルの中身によるレイアウト情報表記の説明図である。送信内容２２０は、ユーザが入力したメール本文２２１、例えば「明日の天気が晴れだったらいいね。」と、自動で添付されるレイアウト情報表記用の添付ファイル２２２、この添付ファイル２２２の中には自動でレイアウト情報が記載されている、と自動で添付される添付ファイル２２６とから構成される。添付ファイル２２２は、レイアウト情報表記用であることを示すファイル名「ｍａｉｌｃｎｖ．ｉｎｆｏ」が付けられている。
【００１９】
添付ファイル２２２の中には、文字２２３「ＢＧ／Ｂｏｙ．ｊｐｇ」、文字２２４「Ｋｅｙｗｏｒｄ：晴れ」が記載されている。文字２２３「ＢＧ／Ｂｏｙ．ｊｐｇ」は、メール本文２２１「明日の天気が晴れだったらいいね。」の文章表示と共に、添付ファイル２２６「Ｂｏｙ．ｊｐｇ」の画像を「ＢＧ」（バックグラウンド、背景）として表示することを意味する。また、文字２２４「Ｋｅｙｗｏｒｄ：晴れ」は、メール本文２２１「明日の天気が晴れだったらいいね。」中に「晴れ」の文字列があれば、「明日の天気が晴れだったらいいね。」の表示に関して、該当する文字列を絵文字である「晴れマークの絵文字」に変換して表示することを意味する。つまり、「明日の天気が「晴れマークの絵文字」だったらいいね。」を表示する。または、該当する文字列の絵文字を付加することを意味する。つまり、「明日の天気が晴れだったらいいね。」プラス「晴れマークの絵文字」が表示される。
【００２０】
この定義がなされていない受信側通信端末で受信した場合、「明日の天気が晴れだったらいいね。」が表示される。また、添付ファイル２２２および２２６を開くかどうかは、受信側のユーザに任せられる。  
レイアウト情報表記用の添付ファイル２２２のファイル名「ｍａｉｌｃｎｖ．ｉｎｆｏ」、添付ファイル２２２中の文字２２３、２２４等の定義は上記以外の文字で定義したり、他の意味を追加してもよい。
【００２１】
図７は、本発明の更に別の実施例に係る通信端末の添付ファイルの名称によるレイアウト情報表記の説明図である。送信内容２３０は、ユーザが入力したメール本文２３１、例えば「明日の天気が晴れだったらいいね。」と、自動で添付される特殊な名称の添付ファイル２３２とから構成される。添付ファイル２３２の特殊な名称の定義を２３３欄に示す。例えば、２３４欄の「Ｂｏｙ．ｂｇ．ｊｐｇ」の「．ｂｇ」は、バックグラウンド（背景画）として定義する。「．ｊｐｇ」は通常の画像ファイルの拡張子の１つである。従って、送信側通信端末は、メール送信時に、オリジナルの画像ファイルの「Ｂｏｙ．ｊｐｇ」に対して自動で「Ｂｏｙ．ｂｇ．ｊｐｇ」に名称変換して、添付ファイル２３２を送信する。受信側通信端末は、受信した添付ファイル２３２の名称「Ｂｏｙ．ｂｇ．ｊｐｇ」から「．ｂｇ」を検出して、「明日の天気が晴れだったらいいね。」と共に、「Ｂｏｙ．ｂｇ．ｊｐｇ」の画像を背景画としてレイアウトして表示する。
【００２２】
２３５欄の「Ｆｏｎｔ．ｆｂｉｇ．ｔｘｔ」の「．ｆｂｉｇ」は、フォントサイズを大きく表示すると定義する。図示しないが、「．ｐｆｂｉｇ」はピクチャーフォント（絵文字）を大きく表示すると別途定義する。または、「Ｆｏｎｔ．ｆｂｉｇ．ｔｘｔ」のファイルの中身に、何を大きく表示するかを記述するようにしてもよい。従って、送信側通信端末は、メール送信時に、自動で「Ｆｏｎｔ．ｆｂｉｇ．ｔｘｔ」などを作成して、添付ファイルとして送信する。受信側通信端末は、受信した添付ファイル２３２の名称「Ｆｏｎｔ．ｆｂｉｇ．ｔｘｔ」から「．ｆｂｉｇ」を検出して、メール本文「明日の天気が晴れだったらいいね。」を大きく表示する。
【００２３】
これらの定義がなされていない受信側通信端末で受信した場合、「明日の天気が晴れだったらいいね。」が表示される。添付ファイル「Ｂｏｙ．ｂｇ．ｊｐｇ」、「Ｆｏｎｔ．ｆｂｉｇ．ｔｘｔ」が開かれるかどうかは、受信側のユーザ次第である。
【００２４】
文字や画像の混在した画面構成を定義するものとして、インターネットやパーソナルコンピュータで広く使われているＨＴＭＬ形式がある。しかし、小型の携帯通信端末等のメールサービスにおいては、まだＨＴＭＬ形式が搭載されていない。その場合、図４〜図７に示した表記方法によれば、ＨＴＭＬ形式が標準搭載されていない通信端末においても、送信側通信端末と受信側通信端末間において、予め定義を共用しておくことにより、文字と画像を含むメール画面のレイアウト情報の通信が可能となる。
【００２５】
図８は、本発明の実施例に係る通信端末のメール送信画面の説明図である。  
図９は、本発明の実施例に係る通信端末のメール作成時のフローチャートであり、通信部１（図１）、入出力制御部５、メール制御部６、アドレス帳制御部７、エディタ制御部９、宛先情報解析部１２などの制御手段による動作を合わせて示す。図８、図９を用いて説明する。通信端末のユーザは、図８（ａ）の宛先入力欄３０１、タイトル入力欄３０２、本文入力欄３０３に、例えば、それぞれ「東芝太郎」、「明日の予定」、「明日の天気が晴れだったらいいね。」をキー入力する。これを制御手段は読み取り表示する（図９のステップＳ１）。そして、ユーザがファンクションキー表示３０４の「メニュー」に相当するファンクションキーを押下すると、図８（ｂ）の表示に切り替わる。
【００２６】
図８（ｂ）は、選択キー表示欄３０５があり、図８（ａ）で作成したメール内容に対して、「内容確認」、［保存］、「最適化」３０６、「××××」のどれを選択するかが表示される。ここでユーザが「最適化」３０６以外を選択操作すると（ステップＳ２でＮＯ）、制御手段は「最適化」３０６以外の選択された他の処理に入る（ステップＳ３）。ユーザが画像自動付加を行いたい時には、「最適化」３０６を選択操作すると、「最適化」３０６が選択され（ステップＳ２でＹＥＳ）、自動で最適化処理が実行されて、図８（ｃ）のように、「明日の天気が晴れだったらいいね。」表示３０８と絵文字表示３０９と、付加情報画像３１０が付加された送信画面３０７が得られる。この自動の最適化処理について以下に詳しく述べる。
【００２７】
ステップＳ２で、「最適化」３０６が選択されると（ステップＳ２でＹＥＳ）、宛先入力欄３０１に入力された「東芝太郎」について、アドレス帳記憶部８を検索して、「東芝太郎」の個人情報（図２）を確認する（ステップＳ４）。そして、この個人情報中の例えば、年齢「子供」と性別「男」に対応する最適化テーブル１１ａ（図３）の「子供（男）」とその付加情報ファイル名１１１を付加することを自動で決定する（ステップＳ５）。  また、本文入力欄３０３に入力された「明日の天気が晴れだったらいいね。」中の文字列について、辞書記憶部１０（図１）を参照して、絵文字コードがあるかを確認し、「晴れ」の文字列について絵文字コードが存在したとすると、「子供」であるという個人情報より「晴れの絵文字コード」を付加することを自動で決定し、本文として「明日の天気が晴れだったらいいね。＋絵文字コード」を自動作成する（ステップＳ６）。なお、ここで、絵文字コードを付加するのではなく、文字列「晴れ」を「晴れの絵文字コード」に変換して、本文として「明日の天気が「晴れの絵文字コード」だったらいいね。」を自動作成するように予め定義してもおいてもよい。
【００２８】
次に、宛先入力欄３０１に入力された「東芝太郎」のアドレス帳の個人情報（図２）を参照して、高齢者であるかをチェックし、高齢者であれば（ステップＳ７でＹＥＳ）、本文入力欄３０３に入力された「明日の天気が晴れだったらいいね。」の文字を大きく表示することを決定する（ステップＳ８）。「東芝太郎」は高齢者ではないので（ステップＳ７でＮＯ）、ステップＳ８をパスして、文字の大きさは変更しない。
【００２９】
次に、上記ステップＳ５、Ｓ６、Ｓ８で決定した事項があれば、それについてレイアウト情報表記を行う（ステップＳ９）。このレイアウト情報表記は、図４〜図７に示した方法のいずれであってもよいが、図４の場合で説明する。「東芝太郎」の場合、ステップＳ５については、メール本文「明日の天気が晴れだったらいいね。」に「＜＜付加有＞＞」コードを付けて、「明日の天気が晴れだったらいいね。＜＜付加有＞＞」を送信文とし、付加情報ファイル１１１を添付ファイルとする。ステップＳ６については、メール本文「明日の天気が晴れだったらいいね。」中の「晴れ」の絵文字コードが辞書記憶部１０にあるとすると、「明日の天気が晴れだったらいいね。＋「晴れ」の絵文字コード」をメール送信文とする。または、「明日の天気が晴れだったらいいね。＋「晴れ」の絵文字コード＋＜＜絵文字大＞＞」として、絵文字を大きくする定義を付けてもよい。ステップＳ８については、該当しないのでレイアウト情報表記をしないが、「東芝太郎」が子供の場合、本文入力欄３０３に入力された「明日の天気が晴れだったらいいね。」の文字を平仮名に変換する処理を行って、「あしたのてんきがはれだったらいいね。」を送信文としてもよい。
【００３０】
次に、上記ステップＳ５、Ｓ６、Ｓ８で決定した事項、すなわち、ステップＳ９でのレイアウト情報表記どおりに送信画面表示を行い、図８（ｃ）の画面表示となる（ステップＳ１０）。つまり、メール本文「明日の天気が晴れだったらいいね。」と重ならないように、付加情報ファイル１１１の画像表示３１０がレイアウト表示される。また、メール本文「明日の天気が晴れだったらいいね。」表示３０８の末尾部分に「晴れ」の絵文字表示３０９が拡大表示される。そして、この表示内容について、ユーザにより決定キー操作がなされると、「東芝太郎」のメールアドレス宛に、メール本文、ステップＳ９でのレイアウト情報、添付ファイル（付加情報ファイル１１１）が送信される（ステップＳ１１）。  受信側の通信端末での処理と表示については後述するが、受信したレイアウト情報の定義に則り、図８（ｃ）と同じ受信画面が自動で表示される。
【００３１】
なお、ステップＳ５において、「東芝太郎」の個人情報（図２）中の年齢「子供」と性別「男」に対応する最適化テーブル１１ａ（図３）の「子供（男）」とその付加情報ファイル名１１１を決定したが、「東芝太郎」の個人情報（図２）中の住所「大阪」に対応する最適化テーブル１１ａ（図３）の「大阪」とその付加情報ファイル名１１４（大阪城などの画像）を決定してもよい。また、「東芝太郎」の個人情報（図２）中の趣味「釣り」に対応する最適化テーブル１１ａ（図３）の「釣り」とその付加情報ファイル名１１６（釣りなどの画像）を決定してもよい。また、これら複数を決定して、ステップＳ１０で切り換えて表示し、ユーザが決定するようにしてもよい。
【００３２】
また、アドレス帳の個人情報（図２）として好きな音楽などの項目を設け、最適化テーブル１１ａ（図３）に音楽ファイルを設け、音楽ファイルを自動で付加情報ファイルとして送信するようにしてもよい。そして、受信側通信端末がこのメールを受信した時、又はメールを開いたときに音楽を演奏するようにしてもよい。  
また、レイアウト情報表記（ステップＳ９）は、図４〜図７に示した方法以外の標準的な方法、例えばＨＴＭＬ形式等で表記してもよい。その場合でも、宛先である「東芝太郎」が興味を持ちそうな画像付きのメールを、送信側通信端末のユーザの負担なしに自動で編集最適化して、そのメールを送信することができる。
【００３３】
図１０は、本発明の実施例に係る通信端末のメール受信時のフローチャートである。通信端末の制御手段が、図４や図５のようなメール本文と同じテキスト形式の特殊コードのレイアウト情報を受信して解析し、表示する動作を示す。
【００３４】
まず、メール本文と添付ファイルを受信する（ステップＳ２１）。テキスト形式の特殊コードのレイアウト情報は、メール本文中に紛れているため、予め定義された「＜＜・・・＞＞」をメール本文中から検索する（ステップＳ２２）。そして、「＜＜・・・＞＞」があれば（ステップＳ２２でＹＥＳ）、特殊コードの中身を解析する。この解析の結果、特殊コードが「＜＜付加有＞＞」であれば、ステップＳ２１で受信した添付ファイルの画像をメール本文と重ならないように付加して表示すると判断する。また、特殊コードとして「＜＜絵文字大＞＞」があれば、メール本文中の絵文字コードによる絵文字を拡大して表示すると判断する（ステップＳ２３）。
【００３５】
そして、メール本文から「＜＜付加有＞＞」と＜絵文字大＞＞」を削除して表示する。また、メール本文中に絵文字コードがあれば絵文字も拡大表示する。また、ステップＳ２１で受信した添付ファイルを開いて、その画像をメール本文と重ならないように付加して表示する（ステップＳ２４）。  
ステップＳ２２でメール本文中に「＜＜・・・＞＞」がなければ（ステップＳ２２でＮＯ）、メール本文のみを表示する（ステップＳ２５）。これにより、送信側の通信端末が表示した図８（ｃ）と同様の表示が、受信側の通信端末において自動で表示される。
【００３６】
図１１は、本発明の他の実施例に係る通信端末のメール受信時のフローチャートである。通信端末の制御手段が、図６のようなレイアウト情報が添付ファイルの中に記述された添付ファイルを受信して解析し、表示する動作を示す。まず、メール本文と添付ファイルを受信する（ステップＳ３１）。この添付ファイル名が予め定義された「ｍａｉｌｃｎｖ．ｉｎｆｏ」であるかをチェックする（ステップＳ３２）。そして、「ｍａｉｌｃｎｖ．ｉｎｆｏ」であれば（ステップＳ３２でＹＥＳ）、添付ファイル「ｍａｉｌｃｎｖ．ｉｎｆｏ」を開いて、中に記載されているレイアウト情報「ＢＧ／Ｂｏｙ．ｊｐｇ」、「Ｋｅｙｗｏｒｄ：晴れ」を解析する（ステップＳ３３）。
【００３７】
そして、このレイアウト情報に則り、メール本文を表示し、また、またメール本文中の「晴れ」の絵文字も表示する。また、「ＢＧ／Ｂｏｙ．ｊｐｇ」中の「Ｂｏｙ．ｊｐｇ」ファイルは、ステップＳ３１で同時に送られてきており、添付ファイル「Ｂｏｙ．ｊｐｇ」を開いて、その画像をメール本文の背景画として表示する（ステップＳ３４）。  
ステップＳ３２で添付ファイル「ｍａｉｌｃｎｖ．ｉｎｆｏ」がなければ（ステップＳ３２でＮＯ）、メール本文のみを表示する（ステップＳ３５）。これにより、送信側の通信端末が表示した図８（ｃ）と同様の表示が、受信側の通信端末において自動で表示される。
【００３８】
図１２は、本発明の更に別の実施例に係る通信端末のメール受信時のフローチャートである。通信端末の制御手段が、図７のような添付ファイルの名称自体にレイアウト情報が記述された添付ファイルを受信して解析し、表示する動作を示す。まず、メール本文と添付ファイルを受信する（ステップＳ４１）。この添付ファイル名称「Ｂｏｙ．ｂｇ．ｊｐｇ」自体に、予め定義された「．ｂｇ」や「．ｆｂｉｇ」などの文字が含まれているかをチェックする（ステップＳ４２）。そして、「．ｂｇ」があれば（ステップＳ４２でＹＥＳ）、「．ｂｇ」を解析して、この添付ファイル「Ｂｏｙ．ｂｇ．ｊｐｇ」自体を背景画としてレイアウトすることを理解する（ステップＳ４３）。また、「．ｆｂｉｇ」があれば、フォントサイズを大きく表示すると理解する。
【００３９】
そして、このレイアウト情報に則り、メール本文を拡大表示し、また、添付ファイル「Ｂｏｙ．ｂｇ．ｊｐｇ」を開いて、その画像をメール本文の背景画として表示する（ステップＳ４４）。  
ステップＳ４２で添付ファイルの名称自体にレイアウト情報の記述がなければ（ステップＳ４２でＮＯ）、メール本文のみを表示する（ステップＳ４５）。これにより、送信側の通信端末が表示した図８（ｃ）と同様の表示が、受信側の通信端末において自動で表示される。
【００４０】
以上説明した実施例によれば、宛先である「東芝太郎」が興味を持ちそうな画像付きのメールを、送信側通信端末のユーザの負担なしに自動で編集最適化して、そのメールを送信することができる。
【００４１】
なお、上述した実施例では、送信側の通信端末においてメール内容を自動で編集最適化したが、通信システムの交換局側に、送信側通信端末毎のアドレス帳と、付加情報記憶手段と、メール内容の最適化手段とを備えるようにしてもよい。この場合、送信側通信端末は、付加情報記憶手段とメール内容の最適化手段を備える必要がなく、宛先人へ通常のメール送信を行う。そして、これを受信した交換局が、宛先人に対応した最適化を行って、レイアウト情報を記述して、宛先人へメール送信するようにしてもよい。それにより、送信側の通信端末の構成を簡単にすることができる。
【図面の簡単な説明】
【００４２】
【図１】本発明の実施例に係る通信端末の構成図。
【図２】本発明の実施例に係る通信端末のアドレス帳記憶部の説明図。
【図３】本発明の実施例に係る通信端末の付加情報記憶部の説明図。
【図４】本発明の実施例に係る通信端末の特殊コードによるレイアウト情報表記の説明図。
【図５】本発明の実施例に係る通信端末の特殊コードによるレイアウト情報表記の説明図。
【図６】本発明の実施例に係る通信端末の添付ファイルの中身によるレイアウト情報表記の説明図。
【図７】本発明の実施例に係る通信端末の添付ファイルの名称によるレイアウト情報表記の説明図。
【図８】本発明の実施例に係る通信端末のメール送信画面の説明図。
【図９】本発明の実施例に係る通信端末のメール作成時のフローチャート。
【図１０】本発明の実施例に係る通信端末のメール受信時のフローチャート。
【図１１】本発明の実施例に係る通信端末のメール受信時のフローチャート。
【図１２】本発明の実施例に係る通信端末のメール受信時のフローチャート。
【符号の説明】
【００４３】
１  通信部
２  制御部
３  キー
４  ＬＣＤ
５  入出力制御部
６  メール制御部
７  アドレス帳制御部
８  アドレス帳記憶部
９  エディタ制御部
１０  辞書記憶部
１１  付加情報記憶部
１２  宛先情報解析部
【図１】
2006252446.tif 000003
【図２】
2006252446.tif 000004
【図３】
2006252446.tif 000005
【図４】
2006252446.tif 000006
【図５】
2006252446.tif 000007
【図６】
2006252446.tif 000008
【図７】
2006252446.tif 000009
【図８】
2006252446.tif 000010
【図９】
2006252446.tif 000011
【図１０】
2006252446.tif 000012
【図１１】
2006252446.tif 000013
【図１２】
2006252446.tif 000014